(57)【要約】【課題】リフレクタの形状によって決まる遮光角を所望の角度に抑えつつ、光源同士の間隔は狭く、光源と拡散カバーとの間隔は広く保つことで、光源の眩しさを軽減する。【解決手段】線状照明装置１０において、リフレクタ１４の内壁が反射面１４Ｘ，１４Ｙを有している。反射面１４Ｘは、対応するＬＥＤ１１から放射される光の遮光角が仕様値ψとなるように形成されている。また、反射面１４Ｘは、対応するＬＥＤ１１から遠い側の端部が拡散カバー１５と離間するように形成されている。そして、反射面１４Ｘは、当該端部が隣り合うＬＥＤ１１に対応する反射面１４Ｘ同士で近接するように形成されている。反射面１４Ｙも、対応するＬＥＤ１１から放射される光の遮光角が仕様値ψとなるように形成されているが、対応するＬＥＤ１１から遠い側の端部が拡散カバー１５に接触するように形成されている。【選択図】図６
2011129405.tif 000002
【特許請求の範囲】
【請求項１】
光を放射する複数の光源と、
前記複数の光源に対向する位置に設けられ、光を拡散する拡散カバーと、
前記複数の光源と前記拡散カバーとの間に設けられ、前記複数の光源それぞれから放射される光を内壁の一部で前記拡散カバーに向かって反射するリフレクタとを備え、
前記リフレクタの内壁は、前記複数の光源それぞれに対して、光源から放射される光の遮光角が所定の角度となり、光源から遠い側の端部が前記拡散カバーと離間するように形成された第１壁面であって、当該端部が隣り合う光源に対応する第１壁面同士で近接するように形成された第１壁面と、前記複数の光源それぞれに対して、光源から放射される光の遮光角が前記所定の角度と略同じ角度となり、光源から遠い側の端部が前記拡散カバーに接触するように形成された第２壁面とを有することを特徴とする照明装置。
【請求項２】
前記リフレクタの内壁の第１壁面と第２壁面とは、焦点距離が異なるトロイダル形状の放物面、双曲面、楕円面、あるいは、平面になるように形成されたことを特徴とする請求項１に記載の照明装置。
【請求項３】
前記リフレクタの内壁の第２壁面は、前記複数の光源それぞれに対して、光源から近い側の一部の領域が、前記リフレクタの内壁の第１壁面と同じ形状になるように形成されたことを特徴とする請求項１に記載の照明装置。
【請求項４】
前記リフレクタの内壁の第２壁面は、前記複数の光源それぞれに対して、光源から遠い側の一部の領域が、前記拡散カバーによって後方散乱される光を前記拡散カバーに向かって反射するように形成されたことを特徴とする請求項１又は３に記載の照明装置。
【請求項５】
前記照明装置は、平面視で矩形状を呈し、
前記複数の光源は、前記照明装置の長手方向に沿って配列され、
前記リフレクタの内壁の第１壁面は、前記複数の光源それぞれを前記照明装置の長手方向に挟むように形成され、
前記リフレクタの内壁の第２壁面は、前記複数の光源それぞれを前記照明装置の短手方向に挟むように形成されたことを特徴とする請求項１から４までのいずれかに記載の照明装置。
【発明の詳細な説明】
【技術分野】
【０００１】
本発明は、照明装置に関するものである。本発明は、特に、直線状に配列されたＬＥＤ（発光ダイオード）光源の正面に拡散性のカバーを備え、光源の眩しさを軽減した照明装置（ＬＥＤ線状照明装置）に関するものである。
【背景技術】
【０００２】
蛍光灯や白熱電球等の従来光源と比べ、小型で長寿命なＬＥＤは、近年その発光効率［ｌｍ／Ｗ］（単位：ルーメン毎ワット）の向上や光量アップに伴い、オフィスビル、商業施設、学校や病院等の公共施設でも、天井用照明装置の光源として用いられ始めている。しかし、ＬＥＤは１灯あたりの光束（光量）がまだ十分ではないため、通常１つの照明装置に複数灯搭載される。このような照明装置に、ＬＥＤを直線状に配列した線状照明装置がある（例えば、特許文献１，２参照）。
【先行技術文献】
【特許文献】
【０００３】
【特許文献１】特開２００６−２６１３７５号公報
【特許文献２】特開２００６−１５６１９２号公報
【発明の概要】
【発明が解決しようとする課題】
【０００４】
現在、ＬＥＤは従来光源と比べ、光束（光量）の割に単価［円／ｌｍ］がまだまだ高いので、ＬＥＤから出射される光の利用効率を高め、照明装置に搭載されるＬＥＤの個数を少なく抑えたいという要望がある。このため、特許文献１，２に記載されているように、ＬＥＤの周囲には通常リフレクタが設けられ、ＬＥＤより正面ではなく側面方向に出射された光も被照明物方向へと反射されるようにし、光の利用効率を高めている。
【０００５】
また、ＬＥＤは小型であり、その発光面積が小さいため、高輝度である。オフィス等の天井に用いる場合は、この光源の眩しさを軽減するため、リフレクタの出光側開口部に拡散性を有するカバーが被せられる。カバーを通過する光を拡散させることで、光源の眩しさを緩和している。
【０００６】
このような線状照明装置９０の典型的な構成を図８（ａ）及び（ｂ）に示す。図８（ａ）は、線状照明装置９０の分解斜視図である。図８（ｂ）は、ＬＥＤ９１を横切る線状照明装置９０の短手方向Ｘの断面図である。
【０００７】
光源であるＬＥＤ９１は基板９２上に、直線状かつ等間隔に配列・実装されている。基板９２の上には、リフレクタ９４が被せられる。リフレクタ９４には、個々のＬＥＤ９１に対応する反射面９４Ａが設けられている。反射面９４Ａは、ＬＥＤ９１の光軸を回転軸とする回転放物面であり、その焦点の位置がＬＥＤ９１の発光面９１Ａに一致するようにしてある。反射面９４Ａの表面は、梨地面もしくは鏡面である。基板９２とリフレクタ９４の間には、高反射率を有する反射シート９３が挟まれている。反射シート９３にも、個々のＬＥＤ９１に対応する開口９３Ａが設けられている。
【０００８】
線状照明装置９０がオフィス等の天井に設置される場合、デスクで作業している人の眼に正面方向から（比較的遠くから）ＬＥＤ９１の光が直接入るのを防ぐため、例えば遮光角が３０°以上になるよう、反射面９４Ａの高さＨが設定される（図８（ｂ）参照）。ここでいう遮光角とは、ＬＥＤ９１の発光面端９１Ｂより、反射面９４Ａの出光側開口部端９４Ｂを臨んだ角度のことである。
【０００９】
拡散カバー９５は、直線状に並んだ反射面９４Ａの開口部の全てを覆う透光性の長尺形状の平行平板である。拡散カバー９５の表面が出光面９５Ａとなる。
【００１０】
リフレクタ９４は、平坦部９４Ｄに設けた穴９４Ｃ、基板９２の穴９２Ｃ、及び、反射シート９３の穴９３Ｃ（いずれもキリ穴もしくはネジ穴）によって、基板９２にネジ止めされる（図８（ａ）参照）。拡散カバー９５は、反射面９４Ａの出光側開口部に、爪９４Ｅによって取り付けられる。
【００１１】
上記のような拡散カバー９５を備えた線状照明装置９０において、拡散カバー９５を透過する光の拡散性を高めれば、光源の眩しさをより軽減することができる。具体的には、梨地面を用いた拡散カバー９５であれば、梨地面の面粗さをより粗くすることで、拡散性を高めることができる。拡散材を練り込んだ拡散カバー９５であれば、単位体積あたりの拡散材の粒子数（濃度）を増加させることで、拡散性を高めることができる。しかし、これらの手法では、拡散カバー９５によってＬＥＤ９１側へ後方散乱される光の割合が増加するため、光の取り出し効率が低下してしまう。なお、（光の取り出し効率）＝（線状照明装置９０から出射される総光束）／（全ＬＥＤ９１から出射される総光束）とする。以下、光の取り出し効率については、この定義に従う。
【００１２】
光の取り出し効率が低いと、線状照明装置９０に搭載されるＬＥＤ９１の個数を増やさなくてはならないため、実際には拡散性の低い拡散カバー９５しか用いられず、多くの線状照明装置９０において光源が眩しい状態にある。
【００１３】
別の手法として、拡散カバー９５をＬＥＤ９１より遠ざければ、光源の眩しさをより軽減することができる。拡散カバー９５の出光面９５Ａは、ＬＥＤ９１に照明された２次的な（新たな）光源面（発光面）とみなすことができる。このため、ＬＥＤ９１と拡散カバー９５との間の距離を長くすることで、拡散カバー９５上での照度を落とすことができ、光源の眩しさを緩和することができる。しかし、単純にリフレクタ９４（反射面９４Ａ）の深さを深くすれば、遮光角が大きくなるため、反射面９４Ａに当たる光量、吸収される光量が増え、やはり光の取り出し効率が低下してしまう。このため、遮光角は必要最小限（仕様値ψ）に抑えられた値となっている。
【００１４】
遮光角（仕様値ψ）を変えないようリフレクタ９４をスケールアップする場合、例えばＸ軸、Ｙ軸、Ｚ軸方向全ての寸法を２倍にした場合、ＬＥＤ９１と拡散カバー９５との間の距離は２倍になるが、ＬＥＤ９１同士の間隔も２倍になる。例えば、オフィス等の天井に設置される天井用照明装置の長手方向の長さには、規格や制約があることが多い。このため、天井用照明装置に搭載される線状照明装置９０にも、ＬＥＤ９１の配列方向、長手方向Ｙの長さに制約があり、ＬＥＤ９１同士の間隔が２倍になることに伴い、例えばＬＥＤ９１の搭載個数を半分にしなければならない。この場合、今度は、部屋内の照度（明るさ）が下がるという問題が生じる。
【００１５】
さらに単純な手法として、ＬＥＤ９１の駆動電流を小さく絞れば、光源の眩しさを軽減できる。しかし、この手法では、電流を小さく絞り、ＬＥＤ９１の１灯あたりの光束（光量）を低下させた分、線状照明装置９０に搭載されるＬＥＤ９１の個数を増やさなくてはならず、コスト高になってしまう。
【００１６】
本発明は、例えば、リフレクタの形状によって決まる遮光角を所望の角度に抑えつつ、光源同士の間隔は狭く、光源と拡散カバーとの間隔は広く保つことで、光源の眩しさを軽減した照明装置を得ることを目的とする。
【課題を解決するための手段】
【００１７】
本発明の一の態様に係る照明装置は、
光を放射する複数の光源と、
前記複数の光源に対向する位置に設けられ、光を拡散する拡散カバーと、
前記複数の光源と前記拡散カバーとの間に設けられ、前記複数の光源それぞれから放射される光を内壁の一部で前記拡散カバーに向かって反射するリフレクタとを備え、
前記リフレクタの内壁は、前記複数の光源それぞれに対して、光源から放射される光の遮光角が所定の角度となり、光源から遠い側の端部が前記拡散カバーと離間するように形成された第１壁面であって、当該端部が隣り合う光源に対応する第１壁面同士で近接するように形成された第１壁面と、前記複数の光源それぞれに対して、光源から放射される光の遮光角が前記所定の角度と略同じ角度となり、光源から遠い側の端部が前記拡散カバーに接触するように形成された第２壁面とを有することを特徴とする。
【発明の効果】
【００１８】
本発明の一の態様では、照明装置のリフレクタの内壁が第１壁面と第２壁面とを有する。第１壁面は、複数の光源それぞれに対して、光源から放射される光の遮光角が所定の角度となり、光源から遠い側の端部が拡散カバーと離間するように形成されている。また、第１壁面は、当該端部が隣り合う光源に対応する第１壁面同士で近接するように形成されている。第２壁面は、複数の光源それぞれに対して、光源から放射される光の遮光角が上記所定の角度と略同じ角度となり、光源から遠い側の端部が拡散カバーに接触するように形成されている。このため、本発明の一の態様によれば、リフレクタの形状によって決まる遮光角を所望の角度に抑えつつ、光源同士の間隔は狭く、光源と拡散カバーとの間隔は広く保つことができる。したがって、例えばＬＥＤ線状照明装置において、（１）光の取り出し効率の低下を伴うことも、（２）搭載されるＬＥＤの個数の増加を伴うこともなく、（３）遮光角を必要最小限（仕様値ψ）に抑え、（４）ＬＥＤ同士の間隔を広げずに（照明装置の長さの規格や制約を守り）、安価簡便に光源の眩しさを軽減できる。
【図面の簡単な説明】
【００１９】
【図１】実施の形態１に係る線状照明装置の（ａ）分解斜視図及び（ｂ）短手方向Ｘの断面図である。
【図２】実施の形態１に係る線状照明装置を搭載した天井用照明装置の斜視図である。
【図３】実施の形態１に係る線状照明装置にて反射面の高さｈを高くしていった場合における光の取り出し効率と光源の眩しさの変化を示した図である。
【図４】実施の形態２に係る線状照明装置の（ａ）分解斜視図及び（ｂ）短手方向Ｘの断面図である。
【図５】実施の形態２に係る線状照明装置にて反射面の高さｈを高くしていった場合における光の取り出し効率と光源の眩しさの変化を示した図である。
【図６】実施の形態３に係る線状照明装置の（ａ）分解斜視図及び（ｂ）短手方向Ｘの断面図である。
【図７】実施の形態３に係る線状照明装置にて反射面の高さＨＹを高くしていった場合における光の取り出し効率と光源の眩しさの変化を示した図である。
【図８】拡散カバーを有する典型的な線状照明装置の（ａ）分解斜視図及び（ｂ）短手方向Ｘの断面図である。
【発明を実施するための形態】
【００２０】
以下、本発明の実施の形態について、図を用いて説明する。
【００２１】
実施の形態１．
図１（ａ）は、本実施の形態に係る線状照明装置１０の分解斜視図である。図１（ｂ）は、ＬＥＤ１１を横切る線状照明装置１０の短手方向Ｘの断面図である。
【００２２】
線状照明装置１０は、光を放射する複数の光源の例として、９個のＬＥＤ１１を備えている。なお、線状照明装置１０は、８個以下又は１０個以上のＬＥＤ１１を備えていてもよい。線状照明装置１０は平面視で矩形状を呈しており、ＬＥＤ１１は基板１２上に、直線状かつ等間隔に配列・実装されている。つまり、ＬＥＤ１１は線状照明装置１０の長手方向Ｙに沿って配列されている。なお、線状照明装置１０は平面視で円形状、正方形状、あるいは、その他の形状を呈していてもよい。ＬＥＤ１１は一列ではなく複数列に並べられていてもよい。また、ＬＥＤ１１は直線状ではなく環状、放射状、あるいは、その他の並べ方で並べられていてもよい。また、ＬＥＤ１１同士の間隔は均等でなくてもよい。
【００２３】
基板１２は、アルミニウム等の金属、ガラスエポキシ樹脂やセラミック等の板材からなり、その表面にＬＥＤ１１を実装するための回路パターンがプリントされている。基板１２上に設けられる回路パターン、及び、ＬＥＤ１１に電力を供給するためのコネクタ等は、図示を省略する。
【００２４】
線状照明装置１０は、それぞれのＬＥＤ１１から放射される光を内壁の一部で拡散カバー１５に向かって反射するリフレクタ１４を備えている。リフレクタ１４は、ＬＥＤ１１と拡散カバー１５との間に設けられ、基板１２の上に被せられる。リフレクタ１４は、反射時に光を散乱する白色のポリカーボネート等の樹脂からなる。あるいは、アルミニウム等の金属、さらには樹脂表面にアルミニウム等の金属コーティングを施したもの等が用いられる。リフレクタ１４の形状については後述する。
【００２５】
基板１２とリフレクタ１４の間には、高反射率を有する反射シート１３が挟まれることもある。反射シート１３にも、個々のＬＥＤ１１に対応する開口１３Ａが設けられている。反射シート１３には、反射時に光を散乱する白色シートもしくはメタリックな鏡面シート等が用いられる。
【００２６】
線状照明装置１０は、光を拡散する拡散カバー１５を備えている。拡散カバー１５は、ＬＥＤ１１に対向する位置に設けられ、リフレクタ１４の出光側開口部全体を覆う透光性の長尺形状の平行平板である。拡散カバー１５には、例えば、表裏面もしくは片面のみを梨地面としたアクリル等の透明樹脂や、白色の拡散材を練り込んだ透明樹脂等が用いられる。拡散カバー１５の表面が出光面１５Ａとなる。
【００２７】
ここで、線状照明装置１０の利用例を図２に示す。図２は、線状照明装置１０を搭載した天井用照明装置５０の斜視図である。この例では、天井用照明装置５０の筐体５１に線状照明装置１０を長手方向Ｙに２つ並べて配置している。図示していないが、これらの線状照明装置１０を駆動するための電源も一緒に筐体５１に搭載される。また、線状照明装置１０の両脇には反射板５２が、正面には遮光用のルーバー５３等が設けられることもある。
【００２８】
リフレクタ１４は、平坦部１４Ｄに設けた穴１４Ｃ、基板１２の穴１２Ｃ、及び、反射シート１３の穴１３Ｃ（いずれもキリ穴もしくはネジ穴）によって、基板１２にネジ止めされる（図１（ａ）参照）。あるいは、リフレクタ１４は、基板１２、反射シート１３を挟むように、線状照明装置１０を搭載する天井用照明装置５０の筐体５１に直接ネジ止めされて固定される。あるいは、リフレクタ１４は、リフレクタ１４の基板１２、筐体５１側の面に爪を設け、基板１２、筐体５１には長方形の切り欠きもしくは穴を設けて、平坦部１４Ｄにおけるネジ止めではなく、爪と切り欠きもしくは穴を引っ掛けるようにして固定される。
【００２９】
拡散カバー１５は、リフレクタ１４の出光側開口部に、爪１４Ｅによって取り付けられる。拡散カバー１５は、爪によって取り付けられるのではなく、リフレクタ１４の出光側開口部に直接接着されてもよい。
【００３０】
以下では、リフレクタ１４の形状について説明する。
【００３１】
リフレクタ１４は、その高さ（深さ）方向、ＬＥＤ１１の光軸方向で、大きく２つの部位（段）に分けられる。
【００３２】
リフレクタ１４の下段部分、つまりＬＥＤ１１、基板１２側では、図８に示した線状照明装置９０におけるＬＥＤ９１の光軸を回転軸とした回転対称形状の反射面９４Ａと異なり、トロイダル形状の反射面１４Ｘと反射面１４Ｙが設けてある。反射面１４Ｘは短手方向Ｘに沿って設けられた反射面であり、反射面１４Ｙは長手方向Ｙに沿って設けられた反射面である。反射面１４Ｘと反射面１４Ｙは、断面形状が同じ放物線であり、その焦点が双方ともにＬＥＤ１１の発光面１１Ａ上に位置するようになっている。なお、個々のＬＥＤ１１の周囲に設けられる反射面は、トロイダル形状の反射面１４Ｘと反射面１４Ｙでなくても構わない。例えば、図８に示した線状照明装置９０における反射面９４Ａと同様に、ＬＥＤ１１の光軸を回転軸とした回転放物面であってもよい。また、個々のＬＥＤ１１の周囲に設けられる反射面は、回転放物面でなく、回転双曲面、回転楕円面、錐面（例えば、円錐面、角錐面）であってもよい。例えば、反射面１４Ｘ，１４Ｙの断面形状は放物線でなく、双曲線や楕円であってもよいし、傾斜した直線（この場合、反射面１４Ｘ，１４Ｙは逆ピラミッド型の形状をなす）であってもよい。
【００３３】
リフレクタ１４の下段部分では個々のＬＥＤ１１を囲うように反射面１４Ｘ，１４Ｙが設けられているのに対し、リフレクタ１４の上段部分、つまり拡散カバー１５側では、直線状に並んだ全てのＬＥＤ１１の長さ分、長手方向Ｙに延在する反射面１４Ｆ，１４Ｇが設けられている。反射面１４Ｆは反射面１４Ｙの出光側開口部端面である（ＬＥＤ１１の光軸に略垂直）。反射面１４Ｇは反射面１４Ｆに垂直で（ＬＥＤ１１の光軸に略平行）、ＬＥＤ１１の列を挟んで互いに向かい合う２つの面となっている。
【００３４】
ＬＥＤ１１同士の間隔（ピッチ）をＰ、反射面１４Ｘ，１４Ｙの出光側開口部幅をＤとしたとき、上段側の反射面１４Ｆ，１４Ｇの長手方向Ｙの長さはおよそ（ＬＥＤ１１の個数）×Ｐだが、向かい合う２つの反射面１４Ｇ同士の間隔はＤより十分広くなっている。反射面１４Ｇの高さｈは、ＬＥＤ１１からの直接光を遮断しない高さになっている。つまり、反射面１４Ｇの高さｈは、反射面１４Ｙで決まる遮光角（例えば、短手方向Ｘの遮光角）が仕様値ψ（例えば、３０°）より大きくならないような高さになっている。このため、線状照明装置１０がオフィス等の天井に設置される場合、デスクで作業している人の眼に正面方向から（比較的遠くから）ＬＥＤ１１の光が直接入るのを防ぐことができる。
【００３５】
このように、反射面１４Ｆ，１４ＧにＬＥＤ１１からの直接光が当たることはないが、拡散カバー１５によりＬＥＤ１１側へ後方散乱される光を、再び拡散カバー１５側へ反射し、光の取り出し効率を高めるため、反射面１４Ｆ，１４Ｇを反射面としている。リフレクタ１４を、例えば前述したように、反射時に光を散乱する白色のポリカーボネート等の樹脂とした場合、リフレクタ１４は上段部分と下段部分を一体で射出成形によって製造することが可能である。つまり、特別な処理・工程なく反射面１４Ｘ，１４Ｙ，１４Ｆ，１４Ｇを同時に得ることができる。あるいは、樹脂表面にアルミニウム等の金属コーティングを施す場合においても、マスキング等の特別な処理なく反射面１４Ｘ，１４Ｙ，１４Ｆ，１４Ｇを同時に得ることができる。
【００３６】
前述したように、拡散カバー１５は、リフレクタ１４の上段部分を覆うように配置される。そのため、図８に示した線状照明装置９０における拡散カバー９５と比較すると、短手方向Ｘの長さが長く（幅が広く）なっている。これは、拡散カバー１５の短手方向Ｘの長さ（幅）が２つの反射面１４Ｇ同士の間隔に相当する長さ（幅）となっているからである。
【００３７】
以上のように、本実施の形態では、リフレクタ１４の下段部分が図８におけるリフレクタ９４に相当し、上段部分によって拡散カバー１５が、ＬＥＤ１１から高さｈ分だけより遠くの位置に保持される。また、前述したように、向かい合う２つの反射面１４Ｇ同士の間隔と反射面１４Ｇの高さｈを適切に選択すれば、短手方向Ｘにおいて遮光角が仕様値ψより大きくなることはない。長手方向Ｙにおいても、リフレクタ１４の上段部分でＬＥＤ１１からの直接光を遮る物がないので、線状照明装置１０の両端近傍のＬＥＤ１１以外については、やはり遮光角が仕様値ψより大きくなることはない。なお、線状照明装置１０の長手方向Ｙの両端に、短手方向Ｘにおける反射面１４Ｆ，１４Ｇと同様の反射面を設けてもよい。この場合、線状照明装置１０の両端で短手方向Ｘに延在する反射面として、反射面１４Ｆ，１４Ｇに相当する反射面を設ける。反射面１４Ｆに相当する反射面は反射面１４Ｘの出光側開口部端面である（ＬＥＤ１１の光軸に略垂直）。反射面１４Ｇに相当する反射面は反射面１４Ｆに相当する反射面に垂直で（ＬＥＤ１１の光軸に略平行）、ＬＥＤ１１の列方向で互いに向かい合う２つの面となる。このような反射面を設けることにより、線状照明装置１０の両端近傍のＬＥＤ１１についても、長手方向Ｙにおいて遮光角が仕様値ψより大きくなることがなくなる。
【００３８】
上記のように、本実施の形態では、リフレクタ１４の内壁が、第１壁面の例として反射面１４Ｘを有している。反射面１４Ｘは、９個のＬＥＤ１１それぞれに対して設けられており、９個のＬＥＤ１１それぞれを１対の反射面で長手方向Ｙに挟むように形成されている。つまり、反射面１４Ｘは、長手方向Ｙに互いに向かい合う１対の反射面として形成されている。反射面１４Ｘは、対応するＬＥＤ１１から放射される光の遮光角が仕様値ψとなるように形成されている。なお、仕様値ψは角度の範囲であってもよい。例えば仕様値ψが３０°±１°（即ち、２９°≦ψ≦３１°）であれば、反射面１４Ｘによって決まる遮光角は３０°±１°の範囲に収まっていればよい。反射面１４Ｘは、対応するＬＥＤ１１から遠い側の端部が拡散カバー１５と離間するように形成されている。そして、反射面１４Ｘは、当該端部が隣り合うＬＥＤ１１に対応する反射面１４Ｘ同士で近接するように形成されている。
【００３９】
例えば、図１（ａ）において、左から１番目のＬＥＤ１１をＬＥＤ２１Ｍ、左から２番目、即ち、ＬＥＤ２１Ｍと隣り合うＬＥＤ１１をＬＥＤ２１Ｎとする。ＬＥＤ２１Ｍに対応する１対の反射面１４Ｘのうち、右側にある反射面１４Ｘを反射面２２Ｍとする。ＬＥＤ２１Ｎに対応する１対の反射面１４Ｘのうち、左側にある反射面１４Ｘを反射面２２Ｎとする。反射面２２Ｍと反射面２２Ｎは互いに背中合わせになっている。反射面２２Ｍは、ＬＥＤ２１Ｍから放射される光の遮光角が仕様値ψとなるように形成されている。また、反射面２２Ｍは、ＬＥＤ２１Ｍから遠い側の端部２３Ｍが拡散カバー１５と離間するように形成されている（ＬＥＤ２１Ｍに近い側の端部はリフレクタ１４の入光側開口部の縁になっている）。同様に、反射面２２Ｎは、ＬＥＤ２１Ｎから放射される光の遮光角が仕様値ψとなるように形成されている。また、反射面２２Ｎは、ＬＥＤ２１Ｎから遠い側の端部２３Ｎが拡散カバー１５と離間するように形成されている（ＬＥＤ２１Ｎに近い側の端部はリフレクタ１４の入光側開口部の縁になっている）。反射面２２Ｍの端部２３Ｍと反射面２２Ｎの端部２３Ｎは、互いに近接している。なお、この例では、反射面２２Ｍの端部２３Ｍと反射面２２Ｎの端部２３Ｎは、ほとんど繋がっているといえる。
【００４０】
また、本実施の形態では、リフレクタ１４の内壁が、第２壁面の例として反射面１４Ｙ，１４Ｇ，１４Ｆからなる反射面を有している。反射面１４Ｇ，１４ＦをＬＥＤ１１ごとに分けて考えれば、反射面１４Ｙ，１４Ｇ，１４Ｆからなる反射面も、反射面１４Ｘと同様に、９個のＬＥＤ１１それぞれに対して設けられているといえる。反射面１４Ｙ，１４Ｇ，１４Ｆからなる反射面は、９個のＬＥＤ１１それぞれを１対の反射面で短手方向Ｘに挟むように形成されている。反射面１４Ｙ，１４Ｇ，１４Ｆからなる反射面は、対応するＬＥＤ１１から放射される光の遮光角が仕様値ψとなるように形成されている。なお、前述したように、仕様値ψは角度の範囲であってもよい。例えば仕様値ψが３０°±１°であれば、反射面１４Ｙ，１４Ｇ，１４Ｆからなる反射面によって決まる遮光角は３０°±１°の範囲に収まっていればよい。よって、反射面１４Ｘによって決まる遮光角、及び、反射面１４Ｙ，１４Ｇ，１４Ｆからなる反射面によって決まる遮光角は、必ずしも同じ角度でなくてよく、いずれも３０°±１°の範囲に収まっていればよい。即ち、反射面１４Ｙ，１４Ｇ，１４Ｆからなる反射面によって決まる遮光角は、反射面１４Ｘによって決まる遮光角（所定の角度）と略同じ角度であればよい。反射面１４Ｙ，１４Ｇ，１４Ｆからなる反射面は、対応するＬＥＤ１１から遠い側の端部が拡散カバー１５に接触するように形成されている。
【００４１】
例えば、図１（ａ）において、ＬＥＤ２１Ｍに対応する１対の反射面１４Ｙのうち、奥にある反射面１４Ｙを反射面２４Ｍとする。反射面２４Ｍは、反射面２２Ｍと同様に、ＬＥＤ２１Ｍから放射される光の遮光角が仕様値ψとなるように形成されている。また、反射面２４Ｍは、ＬＥＤ２１Ｍから遠い側の端部２５Ｍが拡散カバー１５と離間するように形成されている（ＬＥＤ２１Ｍに近い側の端部はリフレクタ１４の入光側開口部の縁になっている）。反射面１４Ｇ，１４Ｆにて、反射面２４Ｍの端部２５Ｍからリフレクタ１４の出光側開口部の縁まで延在する領域を反射面２６Ｍとする。反射面２６Ｍは、反射面２４Ｍにおける遮光角を維持するように形成されている。また、反射面２６Ｍは、リフレクタ１４の出光側開口部の縁まで延在する面であるから、ＬＥＤ２１Ｍから遠い側の端部が拡散カバー１５に接触することになる。このように、反射面２４Ｍ，２６Ｍからなる反射面は、ＬＥＤ２１Ｍから放射される光の遮光角が仕様値ψとなるように形成されている。また、反射面２４Ｍ，２６Ｍからなる反射面は、ＬＥＤ２１Ｍから遠い側の端部が拡散カバー１５に接触するように形成されている。
【００４２】
本実施の形態では、ＬＥＤ１１の発光面端１１Ｂから発光面１１Ａを横切ってリフレクタ１４の出光側開口部の縁を臨む角度が、遮光角、即ち、仕様値ψと同じ角度になっている。つまり、反射面１４Ｇ，１４Ｆからなる反射面は、９個のＬＥＤ１１それぞれに対して、ＬＥＤ１１から遠い側の端部をＬＥＤ１１にて光が放射される面の端部から臨む角度が、反射面１４Ｙによって決まる遮光角、即ち、仕様値ψと同じになるように形成されている。例えば、反射面２６Ｍは、ＬＥＤ２１Ｍから遠い側の端部をＬＥＤ２１Ｍの発光面端１１Ｂから発光面１１Ａを横切って臨む角度が、反射面２４Ｍ（端部２５Ｍ）によって決まる遮光角、即ち、仕様値ψと同じになるように形成されている。なお、この角度は仕様値ψ以下であればよい（仕様値ψを超えると、遮光角に影響する）。
【００４３】
また、本実施の形態では、反射面１４Ｙが、反射面１４Ｘと同じ形状（例えば、焦点距離が同じトロイダル形状の放物面）になるように形成されている。つまり、反射面１４Ｙ，１４Ｇ，１４Ｆからなる反射面は、ＬＥＤ１１から近い側の一部の領域が、反射面１４Ｘと同じ形状になるように形成されている。例えば、反射面２４Ｍ，２６Ｍからなる反射面は、反射面２４Ｍの部分が反射面２２Ｍと同じ形状になるように形成されている。
【００４４】
以上説明したように、本実施の形態では、線状照明装置１０が次のようなリフレクタ１４を備える。
【００４５】
リフレクタ１４のＬＥＤ１１に近い側を下段部分、ＬＥＤ１１より遠い側を上段部分と定義する。リフレクタ１４の下段部分では、リフレクタ１４は個々のＬＥＤ１１に対応して反射面１４Ｘ，１４Ｙを有する。反射面１４Ｘ，１４Ｙの断面形状は、放物線、双曲線、楕円、直線のいずれかである。リフレクタ１４の上段部分では、下段部分で決定される遮光角を阻害することがなく、即ちＬＥＤ１１からの直接光が当たらない範囲内で、下段部分の個々の反射面１４Ｙの出光側開口部端面を反射面１４Ｆとする。また、この出光側開口部端面に垂直で、ＬＥＤ１１の列を挟んで互いに向かい合い、線状照明装置１０の長手方向Ｙに沿って延びた面を反射面１４Ｇとする。
【００４６】
本実施の形態では、線状照明装置１０に上記のようなリフレクタ１４を用いることにより、ＬＥＤ１１同士の間隔を広げることなく、つまり線状照明装置１０の長手方向Ｙの長さの規格や制約を守り、なおかつ、遮光角は仕様値ψを維持したまま、拡散カバー１５をＬＥＤ１１より遠ざけることが可能となる。
【００４７】
図３は、反射面１４Ｘ，１４Ｙの形状、高さＨを固定した状態で、（反射面１４Ｇの高さｈ）／（反射面１４Ｘ，１４Ｙの高さＨ）の比率を変化させていった場合、即ち、高さｈを高くしていった場合における光の取り出し効率と光源の眩しさの変化を示した図である。ここでは、光源の眩しさの代表値として、正面方向の輝度［ｃｄ／ｍ２］（単位：カンデラ毎平方メートル）を用いた。図１に示した線状照明装置１０を実際に見る場合、ＬＥＤ１１により照明される拡散カバー１５の出光面１５Ａ上には照射分布がある。よって、正面方向への輝度についても拡散カバー１５の面内で分布がある。そこで、このうち最も眩しい、即ち、最大の輝度となる箇所の輝度値を正面方向の輝度とした。以下、正面方向の輝度については、この定義に従う。
【００４８】
図３において、ＬＥＤ１１の１灯あたりの光束は１１０［ｌｍ］、リフレクタ１４は白色ポリカーボネートの射出成形品、拡散カバー１５は片面のみを梨地面とした透明アクリルである。図３より、高さｈを高くするにつれ、正面方向の輝度が軽減されるのに対し、光の取り出し効率はほとんど変化しないことがわかる。
【００４９】
このように、本実施の形態では、個々のＬＥＤ１１を囲う反射面１４Ｘ，１４Ｙを有する下段部分と、高さｈを有する上段部分からなるリフレクタ１４を用いて、拡散カバー１５をＬＥＤ１１より遠ざけている。このような構成を採用したことにより、本実施の形態によれば、（１）光の取り出し効率の低下を伴うことも、（２）搭載されるＬＥＤ１１の個数の増加を伴うこともなく、（３）遮光角を必要最小限（仕様値ψ）に抑え、（４）ＬＥＤ１１同士の間隔を広げずに（長手方向Ｙの長さの規格や制約を守り）、光源の眩しさを軽減できる。また、リフレクタ１４の形状のみを工夫しているため、追加部品を必要としない。また、リフレクタ１４を白色のポリカーボネート等の樹脂とした場合、リフレクタ１４は上段部分と下段部分を一体にして射出成形できることから、安価簡便に光源の眩しさを軽減することができる。さらに、光の取り出し効率の低下を伴うことも、搭載されるＬＥＤ１１の個数の増加を伴うこともないことから、本実施の形態は、省資源・省エネルギーという環境面での効果も奏する。
【００５０】
実施の形態２．
本実施の形態について、主に実施の形態１との差異を説明する。
【００５１】
図４（ａ）は、本実施の形態に係る線状照明装置１０の分解斜視図である。図４（ｂ）は、ＬＥＤ１１を横切る線状照明装置１０の短手方向Ｘの断面図である。
【００５２】
実施の形態１では、リフレクタ１４の上段部分に反射面１４Ｆ，１４Ｇを設けていたが、本実施の形態では、反射面１４Ｆ，１４Ｇの代わりに傾斜した反射面１４Ｈを設けている。実施の形態１における反射面１４Ｆ，１４Ｇと同様、反射面１４ＨにＬＥＤ１１からの直接光は当たらない。つまり、反射面１４Ｈの高さｈは、反射面１４Ｙで決まる遮光角（短手方向Ｘの遮光角）が仕様値ψ（例えば、３０°）より大きくならないような高さになっている。図４のように、反射面１４Ｙの出光側開口部端から反射面１４Ｈが延在する場合、反射面１４Ｈの勾配（傾斜角）は遮光角の仕様値ψ以下である。なお、反射面１４Ｙの出光側開口部端から反射面１４Ｈを延在させるのではなく、反射面１４Ｙの出光側開口部端から実施の形態１における反射面１４Ｆを延在させ、その端部から反射面１４Ｈを延在させてもよい。
【００５３】
以上のように、本実施の形態では、実施の形態１と同様、リフレクタ１４の下段部分が図８におけるリフレクタ９４に相当し、上段部分によって拡散カバー１５が、ＬＥＤ１１から高さｈ分だけより遠くの位置に保持される。また、前述したように、反射面１４ＨにＬＥＤ１１からの直接光が当たらないので、短手方向Ｘにおいて遮光角が仕様値ψより大きくなることはない。長手方向Ｙにおいても、リフレクタ１４の上段部分でＬＥＤ１１からの直接光を遮る物がないので、線状照明装置１０の両端近傍のＬＥＤ１１以外については、やはり遮光角が仕様値ψより大きくなることはない。なお、線状照明装置１０の長手方向Ｙの両端に、短手方向Ｘにおける反射面１４Ｈと同様の反射面を設けてもよい。この場合、線状照明装置１０の両端で短手方向Ｘに延在する反射面として、反射面１４Ｈに相当する反射面を設ける。このような反射面を設けることにより、線状照明装置１０の両端近傍のＬＥＤ１１についても、長手方向Ｙにおいて遮光角が仕様値ψより大きくなることがなくなる。
【００５４】
以上説明したように、本実施の形態では、線状照明装置１０が次のようなリフレクタ１４を備える。
【００５５】
リフレクタ１４の上段部分における、ＬＥＤ１１の列を挟んで互いに向かい合い、線状照明装置１０の長手方向Ｙに沿って延びた１対の反射面１４Ｈは、ＬＥＤ１１の光軸に沿って出光側に寄るに従い、互いの間隔が広くなるように傾斜している。
【００５６】
本実施の形態では、線状照明装置１０に上記のようなリフレクタ１４を用いることにより、ＬＥＤ１１同士の間隔を広げることなく、つまり線状照明装置１０の長手方向Ｙの長さの規格や制約を守り、なおかつ、遮光角は仕様値ψを維持したまま、拡散カバー１５をＬＥＤ１１より遠ざけることが可能となる。
【００５７】
図５は、反射面１４Ｘ，１４Ｙの形状、高さＨを固定した状態で、（反射面１４Ｈの高さｈ）／（反射面１４Ｘ，１４Ｙの高さＨ）の比率を変化させていった場合、即ち、高さｈを高くしていった場合における光の取り出し効率と光源の眩しさの変化を示した図である。ここでは、図３の例と同様に、光源の眩しさの代表値として、正面方向の輝度［ｃｄ／ｍ２］を用いた。
【００５８】
図５において、ＬＥＤ１１の１灯あたりの光束は１１０［ｌｍ］、リフレクタ１４は白色ポリカーボネートの射出成形品、拡散カバー１５は片面のみを梨地面とした透明アクリルである。図５より、高さｈを高くするにつれ、正面方向の輝度が軽減されるのに対し、光の取り出し効率はほとんど変化しないことがわかる。なお、図３の例と比べると、高さｈを高くしたときの光の取り出し効率の変化がより小さい。
【００５９】
このように、本実施の形態においても、実施の形態１と同様の効果を奏する。
【００６０】
実施の形態３．
本実施の形態について、主に実施の形態１及び２との差異を説明する。
【００６１】
図６（ａ）は、本実施の形態に係る線状照明装置１０の分解斜視図である。図６（ｂ）は、ＬＥＤ１１を横切る線状照明装置１０の短手方向Ｘの断面図である。
【００６２】
実施の形態１及び２では、リフレクタ１４の上段部分に、下段部分で決まる遮光角に影響を与えない形状をもつ反射面１４Ｆ，１４Ｇ，１４Ｈを設けていたが、本実施の形態では、上段部分に、このような反射面を設けない。また、実施の形態１及び２では、反射面１４Ｘと反射面１４Ｙは断面形状が同じ放物線であり、その焦点の位置は双方ともにＬＥＤ１１の発光面１１Ａ上に位置するようになっていた。一方、本実施の形態では、反射面１４Ｘと反射面１４Ｙは断面形状がともに放物線であり、焦点の位置が一致し、遮光角も等しいが、異なる形状としている。このため、反射面１４Ｘの高さＨＸと反射面１４Ｙの高さＨＹが異なっている。また、反射面１４Ｘの出光側開口幅ＤＸと反射面１４Ｙの出光側開口幅ＤＹも異なっている。つまり、反射面１４Ｘと反射面１４Ｙは、焦点距離が互いに異なるトロイダル形状の放物面（双曲面、楕円面、平面でもよい）になるように形成されている。図６（ｂ）では、反射面１４Ｘと反射面１４Ｙの断面形状を対比するため、反射面１４Ｙの断面形状（実線）にあわせて、反射面１４Ｘの断面形状（破線）を示している。
【００６３】
リフレクタ１４の上段部分は、個々の反射面１４Ｙにおける、ＬＥＤ１１より離れた部分（リフレクタ１４の出光側開口部側）が、長手方向Ｙに連なった（連続した）形状になっている。
【００６４】
例えば、図６（ａ）に示した反射面１４Ｘと図１及び図４に示した反射面１４Ｘの断面形状が等しい場合、（反射面１４Ｙの高さＨＹ）＞（反射面１４Ｘの高さＨＸ）となるように、図６（ａ）に示した反射面１４Ｙの形状を設定すれば、ＬＥＤ１１同士の間隔を広げることなく、つまり線状照明装置１０の長手方向Ｙの長さの規格や制約を守り、なおかつ、遮光角は仕様値ψを維持したまま、拡散カバー１５をＬＥＤ１１より遠ざけることが可能となる。
【００６５】
上記のように、本実施の形態では、リフレクタ１４の内壁が、第１壁面の例として反射面１４Ｘを有している。反射面１４Ｘは、９個のＬＥＤ１１それぞれに対して設けられており、９個のＬＥＤ１１それぞれを１対の反射面で長手方向Ｙに挟むように形成されている。つまり、反射面１４Ｘは、長手方向Ｙに互いに向かい合う１対の反射面として形成されている。反射面１４Ｘは、対応するＬＥＤ１１から放射される光の遮光角が仕様値ψとなるように形成されている。なお、実施の形態１と同様に、仕様値ψは角度の範囲であってもよい。例えば仕様値ψが３０°±１°（即ち、２９°≦ψ≦３１°）であれば、反射面１４Ｘによって決まる遮光角は３０°±１°の範囲に収まっていればよい。反射面１４Ｘは、対応するＬＥＤ１１から遠い側の端部が拡散カバー１５と離間するように形成されている。そして、反射面１４Ｘは、当該端部が隣り合うＬＥＤ１１に対応する反射面１４Ｘ同士で近接するように形成されている。
【００６６】
例えば、図６（ａ）において、左から１番目のＬＥＤ１１をＬＥＤ２１Ｍ、左から２番目、即ち、ＬＥＤ２１Ｍと隣り合うＬＥＤ１１をＬＥＤ２１Ｎとする。ＬＥＤ２１Ｍに対応する１対の反射面１４Ｘのうち、右側にある反射面１４Ｘを反射面２２Ｍとする。ＬＥＤ２１Ｎに対応する１対の反射面１４Ｘのうち、左側にある反射面１４Ｘを反射面２２Ｎとする。反射面２２Ｍと反射面２２Ｎは互いに背中合わせになっている。反射面２２Ｍは、ＬＥＤ２１Ｍから放射される光の遮光角が仕様値ψとなるように形成されている。また、反射面２２Ｍは、ＬＥＤ２１Ｍから遠い側の端部２３Ｍが拡散カバー１５と離間するように形成されている（ＬＥＤ２１Ｍに近い側の端部はリフレクタ１４の入光側開口部の縁になっている）。同様に、反射面２２Ｎは、ＬＥＤ２１Ｎから放射される光の遮光角が仕様値ψとなるように形成されている。また、反射面２２Ｎは、ＬＥＤ２１Ｎから遠い側の端部２３Ｎが拡散カバー１５と離間するように形成されている（ＬＥＤ２１Ｎに近い側の端部はリフレクタ１４の入光側開口部の縁になっている）。反射面２２Ｍの端部２３Ｍと反射面２２Ｎの端部２３Ｎは、互いに近接している。なお、この例では、反射面２２Ｍの端部２３Ｍと反射面２２Ｎの端部２３Ｎは、ほとんど繋がっているといえる。
【００６７】
また、本実施の形態では、リフレクタ１４の内壁が、第２壁面の例として反射面１４Ｙを有している。反射面１４Ｙも、反射面１４Ｘと同様に、９個のＬＥＤ１１それぞれに対して設けられている。反射面１４Ｙは、９個のＬＥＤ１１それぞれを１対の反射面で短手方向Ｘに挟むように形成されている。反射面１４Ｙは、対応するＬＥＤ１１から放射される光の遮光角が仕様値ψとなるように形成されている。なお、前述したように、仕様値ψは角度の範囲であってもよい。例えば仕様値ψが３０°±１°であれば、反射面１４Ｙによって決まる遮光角は３０°±１°の範囲に収まっていればよい。よって、反射面１４Ｘによって決まる遮光角、及び、反射面１４Ｙによって決まる遮光角は、必ずしも同じ角度でなくてよく、いずれも３０°±１°の範囲に収まっていればよい。即ち、反射面１４Ｙによって決まる遮光角は、反射面１４Ｘによって決まる遮光角（所定の角度）と略同じ角度であればよい。反射面１４Ｙは、対応するＬＥＤ１１から遠い側の端部が拡散カバー１５に接触するように形成されている。
【００６８】
例えば、図６（ａ）において、ＬＥＤ２１Ｍに対応する１対の反射面１４Ｙのうち、奥にある反射面１４Ｙを反射面２４Ｍとする。反射面２４Ｍは、反射面２２Ｍと同様に、ＬＥＤ２１Ｍから放射される光の遮光角が仕様値ψとなるように形成されている。反射面２４Ｍは、リフレクタ１４の入光側開口部の縁からリフレクタ１４の出光側開口部の縁まで延在する面である。よって、反射面２４Ｍは、ＬＥＤ２１Ｍから遠い側の端部が拡散カバー１５に接触する。
【００６９】
以上説明したように、本実施の形態では、線状照明装置１０が次のようなリフレクタ１４を備える。
【００７０】
リフレクタ１４のＬＥＤ１１に近い側を下段部分、ＬＥＤ１１より遠い側を上段部分と定義する。リフレクタ１４は個々のＬＥＤ１１に対応して反射面１４Ｘ，１４Ｙを有する。反射面１４Ｘは、線状照明装置１０の短手方向Ｘに沿って反射面をなすトロイダル形状の反射面である。反射面１４Ｙは、線状照明装置１０の長手方向Ｙに沿って反射面をなすトロイダル形状の反射面である。反射面１４Ｘ，１４Ｙにおいて、断面形状はともに放物線、双曲線、楕円、直線のいずれかであり、またともに遮光角が等しい。反射面１４Ｙの高さは、反射面１４Ｘの高さより高い。反射面１４Ｙは、リフレクタ１４の下段部分では、個々のＬＥＤ１１に対応した長手方向Ｙのトロイダル反射面となっており、リフレクタ１４の上段部分では長手方向Ｙに沿って連なっている。
【００７１】
図７は、反射面１４Ｘの形状、高さＨＸを固定した状態で、（（反射面１４Ｙの高さＨＹ）−（反射面１４Ｘの高さＨＸ））／（反射面１４Ｘの高さＨＸ）の比率を変化させていった場合、即ち、高さＨＹを高くしていった場合における光の取り出し効率と光源の眩しさの変化を示した図である。ここでは、図３や図５の例と同様に、光源の眩しさの代表値として、正面方向の輝度［ｃｄ／ｍ２］を用いた。なお、図７の例における（（反射面１４Ｙの高さＨＹ）−（反射面１４Ｘの高さＨＸ））は、図３や図５の例における高さｈに相当する。
【００７２】
図７において、ＬＥＤ１１の１灯あたりの光束は１１０［ｌｍ］、リフレクタ１４は白色ポリカーボネートの射出成形品、拡散カバー１５は片面のみを梨地面とした透明アクリルである。図７より、高さＨＹを高くするにつれ、正面方向の輝度が軽減されるのに対し、光の取り出し効率はほとんど変化しないことがわかる。なお、図３の例と比べると、高さＨＹを高くしたときの光の取り出し効率の変化がより小さい。
【００７３】
このように、本実施の形態では、個々のＬＥＤ１１を囲う反射面１４Ｘ，１４Ｙの遮光角は等しい（仕様値ψである）が、それぞれの高さＨＸとＨＹが、ＨＹ＞ＨＸの関係をもつリフレクタ１４を用いて、拡散カバー１５をＬＥＤ１１より遠ざけている。このような構成を採用したことにより、本実施の形態によれば、（１）光の取り出し効率の低下を伴うことも、（２）搭載されるＬＥＤ１１の個数の増加を伴うこともなく、（３）遮光角を必要最小限（仕様値ψ）に抑え、（４）ＬＥＤ１１同士の間隔を広げずに（長手方向Ｙの長さの規格や制約を守り）、光源の眩しさを軽減できる。また、リフレクタ１４の形状のみを工夫しているため、追加部品を必要としない。また、リフレクタ１４を白色のポリカーボネート等の樹脂とした場合、リフレクタ１４は上段部分と下段部分を一体にして射出成形できることから、安価簡便に光源の眩しさを軽減することができる。さらに、光の取り出し効率の低下を伴うことも、搭載されるＬＥＤ１１の個数の増加を伴うこともないことから、本実施の形態は、省資源・省エネルギーという環境面での効果も奏する。
【００７４】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００７５】
１０  線状照明装置、１１  ＬＥＤ、１１Ａ  発光面、１１Ｂ  発光面端、１２  基板、１２Ｃ  穴、１３  反射シート、１３Ａ  開口、１３Ｃ  穴、１４  リフレクタ、１４Ｃ  穴、１４Ｄ  平坦部、１４Ｅ  爪、１４Ｆ  反射面、１４Ｇ  反射面、１４Ｈ  反射面、１４Ｘ  反射面、１４Ｙ  反射面、１５  拡散カバー、１５Ａ  出光面、２１Ｍ  ＬＥＤ、２１Ｎ  ＬＥＤ、２２Ｍ  反射面、２２Ｎ  反射面、２３Ｍ  端部、２３Ｎ  端部、２４Ｍ  反射面、２５Ｍ  端部、２６Ｍ  反射面、５０  天井用照明装置、５１  筐体、５２  反射板、５３  ルーバー、９０  線状照明装置、９１  ＬＥＤ、９１Ａ  発光面、９１Ｂ  発光面端、９２  基板、９２Ｃ  穴、９３  反射シート、９３Ａ  開口、９３Ｃ  穴、９４  リフレクタ、９４Ａ  反射面、９４Ｂ  出光側開口部端、９４Ｃ  穴、９４Ｄ  平坦部、９４Ｅ  爪、９５  拡散カバー、９５Ａ  出光面。
【図１】
2011129405.tif 000003
【図２】
2011129405.tif 000004
【図３】
2011129405.tif 000005
【図４】
2011129405.tif 000006
【図５】
2011129405.tif 000007
【図６】
2011129405.tif 000008
【図７】
2011129405.tif 000009
【図８】
2011129405.tif 000010